(57)【特許請求の範囲】
【請求項１】
消化ガスに含まれる二酸化炭素および硫黄系不純物を加圧雰囲気下において水に溶解させることで分離する吸収塔の洗浄方法であって、
前記吸収塔内の圧力を低下させる減圧工程と、
前記吸収塔内の充填材が浸漬するまで前記吸収塔内に水を張る水張工程と、
圧力が低下した前記吸収塔内に消化ガスを送り込むことで前記吸収塔内に張られた水を当該消化ガスでガス攪拌するバブリング工程と、
を備え、
前記バブリング工程において、前記ガス攪拌に使用された消化ガスを循環使用する、吸収塔の洗浄方法。
【請求項２】
請求項１に記載の吸収塔の洗浄方法において、
前記バブリング工程は、前記吸収塔内への消化ガスの送り込みを前記吸収塔の下部から行う工程であって、
前記減圧工程を行った後、前記水張工程を行う前に、前記吸収塔内への消化ガスの送り込みを開始する、吸収塔の洗浄方法。
【請求項３】
請求項１または２に記載の吸収塔の洗浄方法において、
複数の孔を有するガス供給管が前記吸収塔内に配管されており、
前記バブリング工程において、前記複数の孔から前記吸収塔内へ消化ガスを送り込む、吸収塔の洗浄方法。
【請求項４】
消化ガスに含まれる二酸化炭素および硫黄系不純物を加圧雰囲気下において水に溶解させることで分離する吸収塔と、
前記吸収塔の洗浄を制御する制御装置と、
を備える消化ガス精製装置であって、
前記制御装置は、
前記吸収塔内の充填材が浸漬するまで前記吸収塔内に水を張り、且つ、圧力が低下した前記吸収塔内に消化ガスを送り込むことで前記吸収塔内に張られた水を当該消化ガスでガス攪拌するように制御構成されており、
前記ガス攪拌に使用されて前記吸収塔から排出された消化ガスを前記吸収塔の上流側に戻すガス戻管をさらに備え、
前記ガス攪拌に使用された消化ガスを、前記ガス戻管を経由して前記吸収塔の上流側に戻し循環使用する、消化ガス精製装置。
【請求項５】
請求項４に記載の消化ガス精製装置において、
前記吸収塔内へ消化ガスを送り込むガス供給管が、前記吸収塔内の下部に配置されており、
前記制御装置は、
前記吸収塔内の圧力が低下した後、前記吸収塔内に水を張る前に、前記ガス供給管を経由した前記吸収塔内への消化ガスの送り込みを開始するように制御構成されている、消化ガス精製装置。
【請求項６】
請求項５に記載の消化ガス精製装置において、
前記ガス供給管には複数の孔が設けられており、
前記複数の孔から前記吸収塔内へ消化ガスが送り込まれる、消化ガス精製装置。
【発明の詳細な説明】
【技術分野】
【０００１】
本発明は、消化ガスに含まれる二酸化炭素および硫化水素などの硫黄系不純物を加圧雰囲気下において水に溶解させることで分離する吸収塔の洗浄方法に関する。
【背景技術】
【０００２】
下水汚泥・生ごみといった有機性廃棄物、または食品工場排水などの有機性排水などのバイオマスを嫌気性発酵させることにより得られるバイオガスが、新しいエネルギーとして注目されている。この嫌気性発酵処理して得られたバイオガスは、一般に「消化ガス」と呼ばれ、この消化ガスの主成分は、メタンが約６０容量％、二酸化炭素が約４０容量％である。なお、消化ガスには、メタン・二酸化炭素の他に、硫化水素（Ｈ２Ｓ）などの硫黄系不純物、酸素などが微量含まれている。
【０００３】
また、消化ガスからメタン以外のガスを除去することで、消化ガスを高濃度のメタンガスとすることを、消化ガスを精製するという。消化ガスの精製に関する技術としては、例えば、特許文献１、２に記載されたものがある。
【０００４】
特許文献１、２には、消化ガスと水とを０．５５〜２．０ＭＰａの加圧雰囲気下（高圧雰囲気下）で接触させることにより、二酸化炭素および硫化水素などの硫黄系不純物を水に溶解させて消化ガスから分離する、という消化ガスの精製方法が記載されている。この精製方法は、高圧水吸収法と呼ばれている。
【先行技術文献】
【特許文献】
【０００５】
【特許文献１】特開２００８−６３３９２号公報
【特許文献２】特開２００８−６３３９３号公報
【発明の概要】
【発明が解決しようとする課題】
【０００６】
本発明者らは、上記した高圧水吸収法を用いた消化ガス精製装置を製造・納入し、稼働させているのであるが、この消化ガス精製装置には次のような改善すべき点があった。
【０００７】
精製対象である消化ガスに含まれている硫化水素の濃度が高いと（例えば１５００ｐｐｍ以上）、吸収塔内の充填材に硫黄が析出して吸収塔が閉塞してしまうことがある。充填材表面に繁殖している硫黄酸化細菌が、硫化水素を酸化して硫黄として析出させるのである。
【０００８】
硫黄が析出すると吸収塔における圧力損失が大きくなり、最終的に閉塞するため、定期的に充填材に付着した硫黄の除去が求められる。
従来は、吸収塔内の消化ガスを窒素ガスで置換した後、吸収塔から充填材を取り出し、取り出した充填材を洗浄することで、析出した硫黄を除去していた。充填材の洗浄が完了すると、吸収塔に充填材を再充填し、吸収塔内の空気を窒素ガスで置換した後に、運転を再開する（吸収塔に消化ガスを流す）。
【０００９】
ここで、吸収塔の高さ寸法は大きく（例えば、高さ２０ｍ）、吸収塔からの充填材の取り出し・吸収塔への充填材の再充填の作業は、高所作業車などを使用した大変手間のかかる作業である。
【００１０】
吸収塔からの充填材の取り出し・吸収塔への充填材の再充填の作業を行わずに済む方法として、次亜塩素酸ナトリウムを使用する方法が考えられる。給水ポンプから吸収塔へ供給する水に次亜塩素酸ナトリウム溶液を注入しておくことで、吸収塔内の充填材表面に繁殖している硫黄酸化細菌を次亜塩素酸ナトリウムで死滅させるのである。これにより、充填材表面に硫黄が析出して吸収塔が閉塞してしまうことを防止することができる。
【００１１】
しかしながら、注入する次亜塩素酸ナトリウムの濃度が低いと、硫黄酸化細菌を十分に死滅させることができない。一方、次亜塩素酸ナトリウムの濃度が高いと、注入した次亜塩素酸ナトリウムで吸収塔の内面が腐食してしまう。
【００１２】
本発明は、上記実情に鑑みてなされたものであって、その目的は、充填材の取り出し・再充填を行うことなく、且つ、次亜塩素酸ナトリウムなどの薬品を使用することなく、吸収塔内の充填材表面に繁殖した硫黄酸化細菌および充填材表面に析出した硫黄を除去することができる吸収塔の洗浄方法を提供することである。
【課題を解決するための手段】
【００１３】
本発明は、消化ガスに含まれる二酸化炭素および硫黄系不純物を加圧雰囲気下において水に溶解させることで分離する吸収塔の洗浄方法である。この洗浄方法は、前記吸収塔内の圧力を低下させる減圧工程と、前記吸収塔内の充填材が浸漬するまで前記吸収塔内に水を張る水張工程と、圧力が低下した前記吸収塔内に嫌気性ガスを送り込むことで前記吸収塔内に張られた水を当該嫌気性ガスでガス攪拌するバブリング工程と、を備える。
【００１４】
また、本発明は、別の観点では、消化ガス精製装置というものの発明でもある。すなわち、本発明は、消化ガスに含まれる二酸化炭素および硫黄系不純物を加圧雰囲気下において水に溶解させることで分離する吸収塔と、前記吸収塔の洗浄を制御する制御装置とを備える消化ガス精製装置である。前記制御装置は、前記吸収塔内の充填材が浸漬するまで前記吸収塔内に水を張り、且つ、圧力が低下した前記吸収塔内に嫌気性ガスを送り込むことで前記吸収塔内に張られた水を当該嫌気性ガスでガス攪拌するように制御構成されている。
【発明の効果】
【００１５】
本発明によると、充填材の取り出し・再充填を行うことなく、且つ、次亜塩素酸ナトリウムなどの薬品を使用することなく、吸収塔内の充填材表面に繁殖した硫黄酸化細菌および充填材表面に析出した硫黄を除去することができる。
【図面の簡単な説明】
【００１６】
【図１】本発明の一実施形態に係る消化ガス精製装置を示すブロック図である。
【図２】図１に示したガス供給管のうちの塔内配管の詳細図である。図２（ｂ）は図２（ａ）のＡ−Ａ断面図である。
【図３】図２に示した塔内配管の変形例を示す図である。図３（ｂ）は図３（ａ）のＡ−Ａ断面図である。
【発明を実施するための形態】
【００１７】
以下、本発明を実施するための形態について図面を参照しつつ説明する。なお、以下の説明では、下水汚泥を嫌気性発酵させることにより得られる消化ガスを精製することを例示しているが、本発明は、下水汚泥を嫌気性発酵させることにより得られる消化ガス以外の消化ガス（バイオガス）にも適用することができる。
【００１８】
（消化ガス精製装置の構成）
図１に示したように、消化ガス精製装置１００は、吸収塔１、消化ガス圧縮機３、給水ポンプ５などを具備してなる装置である。
【００１９】
吸収塔１は、消化ガスに含まれる二酸化炭素および硫黄系不純物を加圧雰囲気下において水に溶解させることで分離するための圧力容器である。吸収塔１内の圧力は、圧力調整弁８により例えば０．９ＭＰａに調整される。
【００２０】
吸収塔１内には、多数の充填材からなる２つの充填材層１３ａ・１３ｂが上下方向に所定の間隔をあけて設けられている。充填材は、消化ガスと水との接触面積を増やす（接触を促進させる）ためのものであり、例えば、中空で球状の合成樹脂製のものである。各充填材層１３ａ・１３ｂの上下にはグレーチングが配置され、これにより、充填材が吸収塔１内で保持される。
なお、充填材層は２つに分かれている必要はない。１つの充填材層のみであってもよい。さらには、３つ以上の充填材層とされていてもよい。
【００２１】
吸収塔１内の下側の充填材層１３ｂよりも下方には、消化ガスを吸収塔１内へ送り込むためのガス供給管（塔内配管１５）が配置されている。この塔内配管１５には、同じくガス供給管としての塔外配管１４が接続されている。塔外配管１４には、消化ガスが流れる方向において上流側から順に、消化ガス圧縮機３、吸収塔入口弁７が設置されている。
【００２２】
ガス供給管１４・１５のうちの塔内配管１５の詳細を図２に示したように、塔内配管１５には複数の孔１５ａ・１５ｂが設けられている。この複数の孔１５ａ・１５ｂから吸収塔１内へ消化ガスが分散して送り込まれる。本実施形態では、複数の孔１５ａ・１５ｂは、鉛直方向に対して斜め下向きに消化ガスが吐出するように設けられている。より具体的には、鉛直方向に対して斜め４５°下向きに消化ガスが吐出するように設けられている。
【００２３】
また、複数の孔１５ａ（１５ｂ）は、塔内配管１５の長手方向においては相互に所定の間隔をあけて設けられている。また、孔１５ａと孔１５ｂとの関係に関しては、複数の孔１５ａと、各孔１５ａに対応する複数の孔１５ｂとは、塔内配管１５の長手方向において、同じ位置に設けられている。なお、孔１５ａと孔１５ｂとを、塔内配管１５の長手方向において、相互にずらして設けてもよい（図３参照）。
【００２４】
なお、塔内配管１５に複数の孔を設ける場合の孔の配置は、図２、３の形態に限られるものではない。
【００２５】
ここで、塔内配管１５は水平に配置されていることが好ましい。また、複数の孔１５ａ・１５ｂに関しても全ての孔が相互に水平（同じ高さ）に配置されていることが好ましい。複数の孔１５ａ・１５ｂから消化ガスが均等に吐出するようになるからである。
【００２６】
一方、吸収塔１内の上側の充填材層１３ａよりも上方には、給水管１７の先端部（ノズル部）が配置されている。給水管１７の他端部には給水ポンプ５が設置されている。給水管１７のうち、給水ポンプ５の近くには、高圧水出口弁１１が設置されている。
【００２７】
なお、吸収塔１は、縦置き配置される容器（その長手方向が、例えば鉛直方向を向く向きに配置される容器）であって、吸収塔１の下部から送り込まれた消化ガスは、吸収塔１内を上昇し、各充填材層１３ａ・１３ｂを通過して、吸収塔１の頂部に一端が接続された精製ガス管１６から高濃度のメタンガス（精製ガス）となって出ていく。一方、吸収塔１の上部から、給水管１７を経由して吸収塔１内に供給された水（例えば、下水処理水）は、吸収塔１内を下降し、各充填材層１３ａ・１３ｂを通過して、吸収塔１の底部に一端が接続された排水管１８から出ていく。
【００２８】
高圧（例えば０．９ＭＰａ）の吸収塔１内で、対向して流れる消化ガスと水とが接触することで、消化ガスに含まれている二酸化炭素および硫化水素などの硫黄系不純物は水に溶解し、水とともに排水管１８から出ていく。二酸化炭素および硫化水素などの硫黄系不純物が除去されてなる高濃度のメタンガス（精製ガス）は、精製ガス管１６から出ていく。
【００２９】
精製ガス管１６には、精製ガスが流れる方向において上流側から順に、除湿器４、圧力調整弁８、ガス切換弁９が設置されている。また、除湿器４と圧力調整弁８との間の精製ガス管１６部には、吸収塔１内の圧力を抜くための手動弁１０が取り付けられている。
【００３０】
ガス切換弁９は三方弁とされており、このガス切換弁９とガス供給管である塔外配管１４との間はガス戻管１９で接続されている。ガス戻管１９は、吸収塔１から排出されたガスを吸収塔１の上流側に戻すための管である。本実施形態では、吸収塔１から排出されたガスを消化ガス圧縮機３の上流側に戻しているが、ガスの戻し先はこれに限定されない。
【００３１】
排水管１８には、吸収塔水位調整弁１２が設けられている。排水管１８を流れる水は、例えば減圧塔へ送られる。
【００３２】
ここで、電気信号を点線で図示したように、消化ガス圧縮機３、吸収塔入口弁７、給水ポンプ５、高圧水出口弁１１、除湿器４、圧力調整弁８、ガス切換弁９、および吸収塔水位調整弁１２は、制御装置６（コントローラ）に電気的に接続されている。
【００３３】
制御装置６は、消化ガス圧縮機３などの各機器、吸収塔入口弁７などの各バルブ（自動弁）を制御して、消化ガスを精製する（高濃度のメタンガスとする）ように制御構成されるとともに、吸収塔１内の充填材に硫黄が析出して吸収塔１が閉塞してしまうことを防止するようにも（吸収塔１内を洗浄するようにも）制御構成される。
なお、１つの制御装置６（コントローラ）で、これら２種の制御（自動運転）を行う必要は必ずしもない。例えば、消化ガスの精製制御（精製運転）を行うものと、吸収塔１の洗浄制御（洗浄運転）を行うものとに、制御装置を分けてもよい。
【００３４】
以上、消化ガス精製装置１００の構成について説明したが、実装置には、図１に示した以外のバルブ（弁）、機器が設けられる。
【００３５】
次に、制御装置６による吸収塔１の洗浄制御（洗浄運転）について記載する。なお、制御装置６による消化ガスの精製制御（精製運転）に関しては、その説明を省略する。また、以下に記載する制御装置６による吸収塔１の洗浄制御のうちの一部または全てを手動で行ってもよい。
【００３６】
まず、消化ガスの精製運転を停止する。運転が停止される際に、設置された弁は原則として全て閉となる。その後、手動弁１０を手動で開にし、吸収塔１内の圧力を抜く（低下させる）（減圧工程）。なお、吸収塔１内の圧力を大気圧まで低下させることが好ましいが、完全に大気圧まで低下させる必要は必ずしもない。吸収塔１内の圧力が抜けたら手動弁１０を閉に戻す。なお、手動弁１０（バルブ）の開閉操作を、制御装置６などからの信号により自動で行ってもよい。
なお、吸収塔１内の圧力が十分に高い場合は、圧力調整弁８、ガス切換弁９を通じて後段の例えばガスタンク（不図示）へガスを送ることによって、吸収塔１内の圧力を低下させるようにしてもよい。
また、手動弁１０を開にして圧力を低下させる場合、手動弁１０を通じて排出されるガスにはメタンガスが含まれるため、図示しない燃焼装置等を利用して燃焼処理させることが好ましい。これはメタンガスが二酸化炭素に比べ温暖化係数が高いためである。
【００３７】
（吸収塔の洗浄制御）
以下に記載する各バルブ（弁）・機器の制御は、「手動で」などと特にことわりをいれない限り、制御装置６からの信号で行われるものである。すなわち、以下に記載するように各バルブ（弁）・機器が動作するよう、例えばプログラミングなどにより制御装置６は制御構成される。
【００３８】
その後、吸収塔入口弁７、および圧力調整弁８を開にする。また、消化ガスがガス戻管１９を流れて消化ガス圧縮機３の上流側に戻るようにガス切換弁９を切り換える（または、ガス切換弁９の流れ方向を確認する）。その後、消化ガス圧縮機３を駆動する。これにより、ガス供給管１４・１５を経由した吸収塔１内への消化ガスの送り込みが開始される。吸収塔１から出た消化ガスは、精製ガス管１６・ガス戻管１９を経由して塔外配管１４に戻る。すなわち、消化ガスは循環する。
【００３９】
次に、高圧水出口弁１１を開にするとともに給水ポンプ５を駆動する。これにより、吸収塔１内への水の供給が開始され、吸収塔１内に水が溜まっていく。例えば、吸収塔１内の充填材層１３ｂの半分くらいが水に浸漬するまで、吸収塔１内に水を張る（水張工程）。なお、充填材層１３ｂのどのレベルまで水を張るか、充填材層１３ｂだけでなく充填材層１３ａも水に浸漬させるかなどは、適宜、決定されるものである。なお、２つの充填材層１３ａ・１３ｂのうちの充填材層１３ｂの下部に硫黄が多く析出することが多い。吸収塔１内の水位が所定のレベルに達したら、給水ポンプ５を停止するとともに高圧水出口弁１１を閉に戻す。
【００４０】
圧力が低下した吸収塔１内へは消化ガスが送り込まれているので、吸収塔１内に張られた水は、消化ガスでガス攪拌される（バブリング工程）。なお、消化ガスは、塔内配管１５に設けられた複数の孔１５ａ・１５ｂより、吸収塔１内の下側の充填材層１３ｂよりも下方から（吸収塔１内の下部から）吸収塔１内に送り込まれる。
【００４１】
このバブリング工程により、充填材表面に析出した硫黄は、水および消化ガスと複雑に衝突して充填材表面からはがれる。バブリング工程を所定時間実施した後、圧力調整弁８を閉にする。なお、圧力調整弁８を開から閉に戻したことで、吸収塔１内の圧力は徐々に上昇していく。吸収塔１内の圧力が上昇するにつれて、ガス攪拌に供される消化ガスの気泡は徐々に小さくなっていく。すなわち、初期のガス攪拌は、大きな気泡で行われ、所定の時間が経過したら、圧力調整弁８を閉にしたことで、徐々に小さくなっていく気泡で、充填材が洗浄される。これにより様々な大きさの気泡で充填材が洗浄される、すなわち、洗浄強度が様々に変化していく（洗浄強度が大きい状態、中程度の状態、小さな状態など）。大きな気泡では洗浄強度が大きい。小さな気泡では大きな気泡に比べて洗浄強度が小さいものの、充填材の隅々まで気泡が到達しやすいので充填材の隅々まで洗浄することができる。これらより、バブリング工程において、吸収塔１内の圧力を変化させることで、充填材の洗浄効果（析出した硫黄および硫黄酸化細菌の剥離効果）がより高まる。
【００４２】
なお、本実施形態では、圧力調整弁８を開から閉にすることで、吸収塔１内の圧力を低から高へのみ変化させているが、圧力調整弁８の開閉を複数回行うことで、吸収塔１内の圧力を低から高へ変化させたり、高から低へ変化させたりしてもよい。圧力を変化させることでバブリングする気泡の大きさが変わるため、効果的な撹拌や気泡を利用した硫黄の剥離が期待できる。具体的には、圧力が高い状態では気泡径が小さい状態で充填材の隅々まで気泡が到達し、圧力が低い状態になることで、気泡径が大きくなり浮力の向上や空隙部の拡大による剥離効果を期待できる。
【００４３】
その後、吸収塔１内の圧力が、所定の圧力（例えば０．４ＭＰａ）に達したら、吸収塔水位調整弁１２をある開度で（中間開度）開く。これにより、吸収塔１内の水位は下がっていく。吸収塔１内の水位が所定の水位まで下がったら吸収塔水位調整弁１２を閉に戻す。なお、消化ガス圧縮機３を停止させても消化ガス圧縮機３側に水が逆流しない水位まで吸収塔１内の水位を少なくとも下げる。その後、吸収塔入口弁７を閉に戻すとともに、消化ガス圧縮機３を停止する。これにより、吸収塔１の洗浄運転が完了する。
【００４４】
バブリング（ガス攪拌）の時間は、例えば、計５〜１０分である。
【００４５】
なお、本実施形態では、吸収塔１の洗浄に用いるガスとして精製対象である消化ガスを用いているが、吸収塔１の洗浄に用いるガスは消化ガスに限定されることはない。窒素ガス、メタンガスといった、消化ガスと同様に嫌気性を有する嫌気性ガスを用いてもよい。なお、嫌気性ガスとは、酸素をほとんど含まないガスのことをいう。微量の酸素は含まれていてもよい。消化ガスの精製運転により、吸収塔１内には高濃度のメタンガスが充満する。また、消化ガス自体、可燃性ガスである。すなわち、吸収塔１内は可燃雰囲気となっている。よって、メタンガスが爆発しないように、吸収塔１の洗浄には、酸素をほとんど含まないガスを用いる必要がある。
【００４６】
（作用・効果）
本発明では、吸収塔内に水を張って充填材を水中に浸漬させるとともに、圧力が低下した吸収塔内に嫌気性ガスを送り込み、吸収塔内に張られた水を嫌気性ガスでガス攪拌する。これにより、吸収塔内の充填材表面に繁殖した硫黄酸化細菌および充填材表面に析出した硫黄は、水および消化ガスと複雑に衝突して充填材表面からはがれる。この方法では、充填材の取り出し・再充填の作業は不要であり、次亜塩素酸ナトリウムなどの薬品の使用も必要ない。なお、吸収塔内の圧力を低下させておくことで、ガス攪拌に供される嫌気性ガスの気泡が大きくなる。これにより、気泡の上昇速度が大きくなり、充填材の洗浄効果がより高まる。
すなわち、本発明によると、充填材の取り出し・再充填を行うことなく、且つ、次亜塩素酸ナトリウムなどの薬品を使用することなく、吸収塔内の充填材表面に繁殖した硫黄酸化細菌および充填材表面に析出した硫黄を除去することができる。なお、例えば補助的に（硫黄酸化細菌の繁殖抑制など）、吸収塔の内面が腐食しない程度の濃度で、薬品（次亜塩素酸ナトリウムなど）を使用してもよい。
【００４７】
また、本実施形態では、減圧工程を行った後（吸収塔１内の圧力が低下した後）、水張工程を行う前に（吸収塔１内に水を張る前に）、吸収塔１内への消化ガス（嫌気性ガス）の送り込みを開始している。これにより、吸収塔１内を確実に嫌気状態に保つことができる。また、消化ガス圧縮機３側に水が逆流することを防止できる。
【００４８】
また、本実施形態では、吸収塔１の洗浄に用いる嫌気性ガスとして精製対象である消化ガスを用いている。そのため、吸収塔１の洗浄運転後、迅速に、消化ガスの精製運転に移行することができる。特にバブリング工程において吸収塔１内を昇圧させて、昇圧した状態を保ちつつ消化ガスの精製運転に移行する場合、より迅速に消化ガスの精製運転に移行することができる。また、バブリング工程においては、ガス攪拌に使用されて吸収塔１から排出された消化ガスを、精製ガス管１６・ガス戻管１９を経由して吸収塔１の上流側に戻し循環使用している。これにより、地球温暖化係数が高いメタンを多く含む消化ガスが系外に排出されることを抑制できる。
【００４９】
また、本実施形態では、塔内配管１５（ガス供給管）に設けた複数の孔１５ａ・１５ｂから吸収塔１内へ消化ガスを送り込んでいる。これにより、消化ガスは、吸収塔１内で均等に流れやすくなり、結果として、充填材の洗浄効果が高まる。また、複数の孔１５ａ・１５ｂが斜め下向きに設けられていることによって、吸収塔１内での消化ガスの流れはより均等になる。
【００５０】
図３（ａ）に示したように、対応する孔１５ａと孔１５ｂとが、塔内配管１５の長手方向において、相互にずらして設けられていることにより、吸収塔１内での消化ガスの流れは、均等になるだけでなく複雑化する。これにより、充填材の洗浄効果はより高まる。
【符号の説明】
【００５１】
１：吸収塔
３：消化ガス圧縮機
４：除湿器
５：給水ポンプ
６：制御装置
１４：塔外配管（ガス供給管）
１５：塔内配管（ガス供給管）
１６：精製ガス管
１７：給水管
１８：排水管
１９：ガス戻管
１００：消化ガス精製装置
【図１】
0005639203.tif 000002
【図２】
0005639203.tif 000003
【図３】
0005639203.tif 000004